(57)【要約】      （修正有）【課題】装着が迅速で、固定の安定性が高いという長所を備え、生産コストを大幅に削減し、生産効率を向上させるフレキシブルフィラメントライトを提供する。【解決手段】外殻の両方の端がライトヘッド及び電球殻にそれぞれ接続されている。外殻内に芯柱４と駆動モジュールが設けられている。駆動モジュールは、ライトヘッド及び柔軟なフィラメントにそれぞれ電気的に接続されている。芯柱に、駆動モジュールに電気的に接続する第１導電部材４１と第２導電部材４２が設けられており、更に支持構造３が設けられている。支持構造にフレキシブルフィラメント２が螺旋状に絡みつくための複数のカードスロット３５が設けられている。フレキシブルフィラメントは、装着される際に、螺旋状に絡みつくようにカードスロット中に固定係止される。【選択図】図３
0003225330.tif 000002
【実用新案登録請求の範囲】
【請求項１】
電球殻と、
ライトヘッドと、
外殻と、
フレキシブルフィラメントと、
を含み、
前記外殻は、一方の端が前記ライトヘッドに接続され、他方の端が前記電球殻に接続されており、
前記外殻内に芯柱と駆動モジュールが設けられており、
前記駆動モジュールは、前記ライトヘッド及び前記フレキシブルフィラメントにそれぞれ電気的に接続されており、
前記芯柱に第１導電部材と第２導電部材が間隔をおいて設けられており、
前記第１導電部材及び第２導電部材は、いずれも前記駆動モジュールに電気的に接続されており、
前記第１導電部材と第２導電部材との間に位置する前記芯柱にさらに支持構造が設けられており、
前記支持構造に前記フレキシブルフィラメントが螺旋状に絡みつくための複数のカードスロットが設けられており、
前記フレキシブルフィラメントは、一方の端が前記第１導電部材に電気的に接続され、他方の端が前記第２導電部材に電気的に接続されていることを特徴とするフレキシブルフィラメントライト。
【請求項２】
前記支持構造は、少なくとも前記芯柱の軸線を中心に対称設置された２つの折曲げストライプを含み、
各前記折曲げストライプは、複数の前記カードスロットを有し、その両端がそれぞれ前記芯柱に固定されており、
又は、前記支持構造は、少なくとも前記芯柱の軸線を中心に対称設置された２つの折曲げストライプを含み、
各前記折曲げストライプは、複数の前記カードスロットを有し、その両端がそれぞれ前記第１導電部材及び前記第２導電部材に固定されており、
又は、前記支持構造は、前記芯柱が伸びる方向に沿って等距離で並ぶ複数の支持棒を含み、
各前記支持棒は、一方の端が前記芯柱に設けられ、他方の端が折り曲げて前記カードスロットを形成し、
又は、前記支持構造は、少なくとも２つの折曲げストライプを含み、
各前記折曲げストライプは、複数の前記カードスロットを有し、その両端がそれぞれ前記芯柱に固定され、前記芯柱の軸線を中心に非対称的に設置されている、ことを特徴とする請求項１に記載のフレキシブルフィラメントライト。
【請求項３】
前記支持構造は、前記芯柱に設けられた柱体であり、
前記カードスロットが前記柱体の外側壁に設けられて螺旋状を呈する、ことを特徴とする請求項１に記載のフレキシブルフィラメントライト。
【請求項４】
前記支持構造は、
前記芯柱に設けられた複数の支持板を含み、
前記支持板の辺縁に複数の前記カードスロットが設けられている、ことを特徴とする請求項１に記載のフレキシブルフィラメントライト。
【請求項５】
前記支持構造は、金属、ガラス又はプラスチック等の材料で製造されていることを特徴とする請求項２に記載のフレキシブルフィラメントライト。
【請求項６】
前記支持構造は、金属、セラミック、ガラス又はプラスチック等の材料で製造されている、ことを特徴とする請求項３又は請求項４に記載のフレキシブルフィラメントライト。
【請求項７】
前記芯柱及び前記支持構造は、いずれもガラス、又はプラスチック等の材料で製造され、且つ一体成形されている、ことを特徴とする請求項１に記載のフレキシブルフィラメントライト。
【請求項８】
前記カードスロットの断面は、Ｕ字状又はＣ字状を呈する、ことを特徴とする請求項１に記載のフレキシブルフィラメントライト。
【請求項９】
前記第１導電部材及び前記第２導電部材は、いずれも２つ設置されており、
前記フレキシブルフィラメントは、２つ設置され、直列又は並列で接続されている、ことを特徴とする請求項１に記載のフレキシブルフィラメントライト。
【請求項１０】
前記柱体は、中空柱体である、ことを特徴とする請求項３に記載のフレキシブルフィラメントライト。
【考案の詳細な説明】
【技術分野】
【０００１】
本考案は、照明技術分野に関し、特にフレキシブルフィラメントライトに関する。
【背景技術】
【０００２】
照明技術の発展につれて、白熱灯が次第に淘汰されてしまった一方、フレキシブルフィラメントライトは、良い装飾性及び照明機能を有するため、人々に好かれ、幅広く使われている。
【考案の概要】
【考案が解決しようとする課題】
【０００３】
現在、フレキシブルフィラメントライトは、芯柱に複数の固定環を設置して手作業でフレキシブルフィラメントが固定環を１つずつ貫通するように固定するとういう方式で生産されるため、手作業が多く、生産効率が低く、品質も保証できない。
【課題を解決するための手段】
【０００４】
本考案の目的は、従来のフレキシブルフィラメントライトに手作業でフレキシブルフィラメントを貫通することによるその生産効率が低く、コストが高いという技術的問題を解決するために、フレキシブルフィラメントライトを提供することにある。
【０００５】
本考案は、上記の目的を実現するために、以下の技術的手段を採用する。
フレキシブルフィラメントライトは、電球殻と、ライトヘッドと、外殻と、フレキシブルフィラメントと、を含む。
【０００６】
上記外殻は、一方の端が上記ライトヘッドに接続され、他方の端が上記電球殻に接続されている。
上記外殻内にさらに芯柱と駆動モジュールが設けられている。
上記駆動モジュールは、上記ライトヘッド及び上記フレキシブルフィラメントにそれぞれ電気的に接続されている。
上記芯柱に第１導電部材と第２導電部材が間隔をおいて設けられている。
上記第１導電部材及び第２導電部材は、いずれも上記駆動モジュールに電気的に接続されている。
上記第１導電部材と第２導電部材との間に位置する上記芯柱にさらに支持構造が設けられている。
上記支持構造にフレキシブルフィラメントが螺旋状に絡みつくための複数のカードスロットが設けられている。
上記フレキシブルフィラメントは、一方の端が上記第１導電部材に電気的に接続され、他方の端が上記第２導電部材に電気的に接続されている。
【０００７】
好ましくは、上記支持構造は、少なくとも上記芯柱の軸線を中心に対称設置された２つの折曲げストライプを含む。
各上記折曲げストライプは、複数の上記カードスロットを有し、その両端がそれぞれ上記芯柱に固定されている。
【０００８】
又は、上記支持構造は、少なくとも上記芯柱の軸線を中心に対称設置された２つの折曲げストライプを含む。
各上記折曲げストライプは、複数の上記カードスロットを有し、その両端がそれぞれ上記第１導電部材及び上記第２導電部材に固定されている。
【０００９】
又は、上記支持構造は、上記芯柱が伸びる方向に沿って等距離で並ぶ複数の支持棒を含む。
各上記支持棒は、一方の端が上記芯柱に設けられ、他方の端が折り曲げして上記カードスロットを形成する。
【００１０】
又は、上記支持構造は、少なくとも２つの折曲げストライプを含み、
各上記折曲げストライプは、複数の上記カードスロットを有し、その両端がそれぞれ上記芯柱に固定され、上記芯柱の軸線を中心に非対称的に設置されている。
【００１１】
好ましくは、上記支持構造は、上記芯柱に設けられた柱体である。
上記カードスロットが上記柱体の外側壁に設けられて螺旋状を呈する。
好ましくは、上記支持構造は、上記芯柱に設けられた複数の支持板を含む。
上記支持板の辺縁に複数の上記カードスロットが設けられている。
【００１２】
好ましくは、上記支持構造は、金属、ガラス又はプラスチック等の材料で製造されている。
好ましくは、上記支持構造は、金属、セラミック、ガラス又はプラスチック等の材料で製造されている。
好ましくは、上記芯柱及び上記支持構造は、いずれもガラス、又はプラスチック等の材料で製造され、且つ一体成形されている。
好ましくは、上記カードスロットの断面は、Ｕ字状又はＣ字状を呈する。
好ましくは、上記第１導電部材及び上記第２導電部材は、いずれも２つ設置されている。
上記フレキシブルフィラメントは、２つ設置され、直列又は並列で接続されている。
好ましくは、上記柱体は、中空柱体である。
【考案の効果】
【００１３】
本考案は、従来技術に比べ、以下の有益な効果を有する。
本考案が提供したフレキシブルフィラメントライトは、支持構造におけるカードスロットにより、フレキシブルフィラメントが装着される際に螺旋状に絡みつくようにカードスロット中に固定係止されるため、従来の技術に固定環を貫通する装着方式に比べ、装着が迅速であり、固定の安定性が高いという長所を備え、生産コストを大幅に削減し、生産効率を向上させる。
【００１４】
本考案の実施例の技術的解決手段をより明らかにするために、以下、実施例に使用する必要がある図面を簡単に説明する。以下の説明における図面は、本発明のいくつかの実施例に過ぎない。当業者であれば、創造的な工夫をせずに、これらの図面により他の図面を獲得することができる。
【図面の簡単な説明】
【００１５】
【図１】本考案の実施例によるフレキシブルフィラメントライトの正面図である。
【図２】本考案の実施例によるフレキシブルフィラメントライトの分解構造図である。
【図３】本考案の実施例によるフレキシブルフィラメントライトの支持構造の第１構造及びフレキシブルフィラメントの分解図である。
【図４】本考案の実施例によるフレキシブルフィラメントライトの支持構造の第１構造及びフレキシブルフィラメントの装着概略図。
【図５】本考案の実施例によるフレキシブルフィラメントライトの支持構造の第２構造及びフレキシブルフィラメントの装着概略図。
【図６】本考案の実施例によるフレキシブルフィラメントライトの支持構造の第３構造及びフレキシブルフィラメントの装着概略図。
【図７】本考案の実施例によるフレキシブルフィラメントライトの支持構造の第４構造及びフレキシブルフィラメントの装着概略図。
【図８】本考案の実施例によるフレキシブルフィラメントライトの支持構造の第５構造及びフレキシブルフィラメントの装着概略図。
【図９】本考案の実施例によるフレキシブルフィラメントライトの支持構造の第６構造及びフレキシブルフィラメントの装着概略図。
【考案を実施するための形態】
【００１６】
以下、本考案の実施例を詳細に説明する。上記実施例の例示は図面に示されている。そのうち、始終同じ又は類似した符号は、同じ又は類似した部品又は同じ又は類似した機能を有する部品を表す。以下、図面により説明された実施例は、例示的なものであり、本考案を説明するためのものに過ぎず、本考案を限定するためのものではないことを理解すべきである。
【００１７】
本考案の説明において、“長さ”、“幅”、“上”、“下”、“前”、“後”、“左”、“右”、“垂直”、“水平”、“頂”、“底”、“内”、“外”等の用語が標示した方位又は位置関係は、図面に示された方位又は位置関係に基づいて、本考案を説明しやすく又は説明を簡単化するためのものに過ぎず、装置又は部品が特定の方位、及び方位構造、操作を備えることを指示又は暗示するためのものではなく、本考案を限定するためものではないことを理解すべきである。
【００１８】
また、“第１”、“第２”などの用語は説明する目的のみに用いられ、重要性を指す又は暗示する又は提出した技術的特徴の数量を暗示するためのものではないことを理解すべきである。従って、限定された“第１”、“第２”の特徴は、１つ又はさらに多くの該特徴を含むことを明示又は暗示してもよい。本考案の説明において、“複数”の意味は、明確で具体的な限定以外、２つ又は２つ以上を指す。
【００１９】
本考案において、明確な規定及び限定以外、“装着”、“繋がり”、“接続”、“固定”等の用語は、広義的に理解されるはずである。例えば、固定接続されてもよく、また分解可能に接続されてもよく、或いは一体化になってもよい。機械的に接続されてもよく、又は電気的に接続されてもよい。直接に接続されてもよく、又は中間媒体により間接に接続されてもよい。また２つの部品の内部の接続又は２つの部品の相互作用関係であってもよい。当業者であれば、具体的な状況に基づいて上述した用語の具体的な意味を理解すべきである。
【００２０】
図１から図２に示されているように、本考案の実施例が提供したフレキシブルフィラメントライトを詳細に説明する。
該フレキシブルフィラメントライトは、電球殻１と、ライトヘッド７と、外殻６と、フレキシブルフィラメント２と、を含む。
その中に、外殻６は、一方の端がライトヘッド７に接続され、他方の端が電球殻１に接続されている。
外殻６内にさらに芯柱４と駆動モジュール５が設けられている。
駆動モジュール５は、ライトヘッド７及びフレキシブルフィラメント２にそれぞれ電気的に接続されている。
芯柱４に第１導電部材４１と第２導電部材４２が間隔をおいて設けられている。
第１導電部材４１及び第２導電部材４２は、いずれも芯柱４の内部に設けられた導線により駆動モジュール５に電気的に接続されている。
外殻６から遠く離れるライトヘッド７の一方の端に細片７１が設けられ、ライトヘッド７と嵌め合うように外部電源の正負極との電気的な接続を実現することができる。駆動モジュール５は、主に駆動回路基板と、駆動回路基板に設置された電子部品と、を含む。
【００２１】
具体的に、第１導電部材４１と第２導電部材４２との間に位置する芯柱４にさらに支持構造３が設けられている。
支持構造３にフレキシブルフィラメント２が螺旋状に絡みつくための複数のカードスロット３５が設けられている。
フレキシブルフィラメント２は、一方の端が第１導電部材４１に電気的に接続され、他方の端が第２導電部材４２に電気的に接続されている。本実施例において、芯柱４の一部は、フレキシブルフィラメント２が電球殻１に位置するように電球殻１内に入る。第１導電部材４１及び第２導電部材４２は、金属材料で製造されている。
【００２２】
本考案の実施例によるフレキシブルフィラメントライトは、支持構造３におけるカードスロット３５により、フレキシブルフィラメント２が装着される際に螺旋状に絡みつくようにカードスロット３５中に固定係止されるため、従来の技術に固定環を貫通する装着方式に比べ、装着が迅速であり、固定安定性が高いという長所を備え、生産コストを大幅に削減し、生産効率を向上させる。
【００２３】
具体的に、本実施例において、芯柱４にラッパ状の底部がある。ラッパ状の底部は、フレキシブルフィラメント２が電球殻１内に密封装着されるように電球殻１に密封接続されている。具体的に、火炎熔融の方式で密封接続されている。電球殻内１に放熱効果を高めるための放熱気体が充填されている。放熱気体は、ヘリウム、又はヘリウムと酸素の混合気体である。芯柱４及び外殻６は、にかわ、チャック、又はねじ山等の接続方式で一体に接続されている。外殻６は、プラスチック材料で製造され、にかわにより電球殻１に接続されている。
【００２４】
本実施例において、フレキシブルフィラメント２は、一方の端が先ず第１導電部材４１又は第２導電部材４２に溶接で接続され、その後、支持構造３におけるカードスロット３５中に絡みつき、他方の端が第１導電部材４１又は第２導電部材４２に溶接で接続されている。従って、フレキシブルフィラメント２の固定が迅速で信頼性が高いという長所を有する。もちろん、他の実施例において、フレキシブルフィラメント２は、先ず支持構造３におけるカードスロット３５中に絡みつき、両方の端が第１導電部材４１又は第２導電部材４２にそれぞれ溶接で接続されてもよい。
【００２５】
図３から図４に示されているように、本実施例の第１実施例において、支持構造３は、少なくとも芯柱４の軸線を中心に対称設置された２つの折曲げストライプ３１を含む。各折曲げストライプは、複数のカードスロット３５を有し、その両端がそれぞれ芯柱４に固定されている。該実施例において、折曲げストライプ３１は、金属、プラスチック、又はガラス材料で製造されてもよい。折曲げストライプ３１が金属材料で製造されている場合、折曲げストライプ３１及び芯柱４は、挿接及び溶接の接続方式で固定されている。プラスチック、又はガラス材料の場合、折曲げストライプ３１及び芯柱４は、挿接及びにかわによる接続方式で固定されている。折曲げストライプ３１は、４つ、又は６つ設置されてもよい。
【００２６】
図５に示されているように、本実施例の第２実施方式において、支持構造３は、少なくとも芯柱４の軸線を中心に対称設置された２つの折曲げストライプ３１を含む。
各折曲げストライプ３１は、複数の上記カードスロット３５を有し、その両端がそれぞれ第１導電部材４１及び第２導電部材４２に固定されている。該実施例方式において、折曲げストライプ３１は、金属、プラスチック、又はガラス材料で製造されてもよく、その両端がそれぞれ第１導電部材４１及び第２導電部材４２に接続されている。従って、芯柱４に折曲げストライプ３１を装着するコストを削減する同時に、溶接及びにかわによる接続にも容易になる。
【００２７】
図６に示されているように、本実施例の第３実施方式において、支持構造３は、芯柱４が伸びる方向に沿って等距離で並ぶ複数の支持棒３２を含む。
各支持棒は、一方の端が上記芯柱４に設けられ、他方の端が折り曲げてカードスロット３５を形成する。該実施例方式において、支持棒３２は、金属、プラスチック、又はガラス材料で製造されてもよい。支持構造３を単独した複数の支持棒３２に設置することにより、材料を節約するだけではなく、また製造が容易になる。カードスロット３５の開口は、芯柱４の軸線に向くように設置されている。複数の支持棒３２は、フレキシブルフィラメント２が安定に固定されるように、芯柱４に少なくとも２列を形成し、溶接、にかわ又はねじ山による接続方式で芯柱４に固定接続されている。
【００２８】
図７に示されているように、本実施例の第４実施方式において、支持構造３は、少なくとも２つの折曲げストライプ３１を含む。
各折曲げストライプ３１は、複数の上記カードスロット３５を有し、その両端がそれぞれ上記芯柱４に固定され、その装着の多様性を高めるように芯柱４の軸線を中心に非対称的に設置されている。該実施例方式において、折曲げストライプ３１は、金属、プラスチック、又はガラス材料で製造されてもよい。折曲げストライプ３１は、芯柱４の軸線を中心に円形配列になるように設置され、３本又は５本に設置されてもよい。
【００２９】
図８に示されているように、本実施例の第５実施方式において、支持構造３は、芯柱４に設けられた柱体３３である。カードスロット３５が柱体３３の外側壁に設けられて螺旋状を呈する。支持構造３を柱体３３に設置し、カードスロット３５を螺旋状に設置することにより、さらにフレキシブルフィラメント２が絡みつく迅速性及び装着安定性を向上させる。該実施例方式において、柱体３３が中空柱体であるため、フレキシブルフィラメントライト２の全体重量を低減することができる。もちろん、柱体３３は、中実柱体に設置されてもよい。柱体３３は、金属、セラミック、ガラス又はプラスチック等の材料で製造されてもよい。好ましくは、柱体３３は、透明のガラス又はプラスチック材料で製造され、芯柱４に嵌着されてかつにかわによる接続方式で固定接続されている。
【００３０】
図９に示されているように、本実施例の第６実施方式において、支持構造３は、芯柱４に設けられた複数の支持板３４を含む。支持板３４の辺縁に複数のカードスロット３５が設けられている。該実施例方式において、支持板３４が４つ設置されている。４つの支持板３４は、十字状に形成する。芯柱４から遠く離れる支持板３４の辺縁に複数のカードスロット３５が設けられている。この実施例において、支持板３４は、金属、セラミック、ガラス又はプラスチック等の材料で製造されてもよい。更に具体的に、支持板３４は、透明のガラス又はプラスチック材料で製造され、溶接、にかわによる接続方式で芯柱４に固定接続されている。他の実施例において、支持板３４が３つ、５つ、６つに設置されてもよい。
【００３１】
本実施例方式において、芯柱４は、ガラス材料で製造されてもよい。他の実施例において、芯柱４は、プラスチック材料で製造されてもよい。芯柱４及び支持構造３は、いずれもガラス又はプラスチック材料で製造されている場合、一体成形されている。従って、芯柱４及び支持構造３の装着時間を短縮し、さらに生産コストを削減することができる。
本実施例において、カードスロット３５の断面は、Ｕ字状又はＣ字状を呈する。カードスロット３５の開口の大きさは、フレキシブルフィラメント２が固定係止されれば済む。他の実施例において、カードスロット３５の開口に脱離防止部が設置されてもよい。つまり、断面がＧ字状を類似するため、さらにフレキシブルフィラメント２の装着安定性を保証することができる。
【００３２】
本実施例方式において、第１導電部材４１及び第２導電部材４２は、いずれも２つ設置されている。フレキシブルフィラメント２は、２つ設置され、並列で接続されている。フレキシブルフィラメント２が並列で接続されている場合、中の１つが壊れても、他の１つは、フレキシブルフィラメントライトが正常に照明を提供することを保証することができる。もちろん、２つのフレキシブルフィラメント２は、直列で接続されてもよい。他の実施例において、第１導電部材４１及び第２導電部材４２は、いずれも１つ設置されている。フレキシブルフィラメント２も１つ設置されている。該フレキシブルフィラメント２は、一方の端が第１導電部材４１に接続され、他方の端が第２導電部材４２に接続されている。
【００３３】
本考案の実施例によるフレキシブルフィラメントライトは、支持構造３及びカードスロット３５により、既存の溶接装置又は作業治具に適用し、フレキシブルフィラメント２の自動化装着を実現し、柔軟なフィラメント２を迅速で確実に固定することができる。支持構造３は、折曲げストライプ３１、支持棒３２、柱体３３又は支持板３４で構成され、構造多様化及び簡単な装着等の長所を備え、異なるタイプのライトに応用され、光線を電球殻１内に均一に分布させ、フレキシブルフィラメントライト２の放熱及び全体外観効果を改善し、フレキシブルフィラメントライトの自動化、高品質、高効率の生産を実現することができる。
【００３４】
上記は本考案の優れた実施例に過ぎず、本考案を制限するものではない。本考案の精神及び原則の内になされたあらゆる変更、等価取替及び改良等は、本考案の保護範囲内に含まれるはずである。
【符号の説明】
【００３５】
１：電球殻
２：フレキシブルフィラメント
３：支持構造
３１：折曲げストライプ
３２：支持棒
３３：柱体
３４：支持板
３５：カードスロット
４：芯柱
４１：第１導電部材
４２：第２導電部材
５：駆動モジュール
６：外殻
７：ライトヘッド
７１：細片
【図１】
0003225330.tif 000003
【図２】
0003225330.tif 000004
【図３】
0003225330.tif 000005
【図４】
0003225330.tif 000006
【図５】
0003225330.tif 000007
【図６】
0003225330.tif 000008
【図７】
0003225330.tif 000009
【図８】
0003225330.tif 000010
【図９】
0003225330.tif 000011
【手続補正書】
【提出日】令和1年12月17日(2019.12.17)
【手続補正１】
【補正対象書類名】実用新案登録請求の範囲
【補正対象項目名】全文
【補正方法】変更
【補正の内容】
【実用新案登録請求の範囲】
【請求項１】
電球殻と、
ライトヘッドと、
外殻と、
フレキシブルフィラメントと、
を含み、
前記外殻は、一方の端が前記ライトヘッドに接続され、他方の端が前記電球殻に接続されており、
前記外殻内に芯柱と駆動モジュールが設けられており、
前記駆動モジュールは、前記ライトヘッド及び前記フレキシブルフィラメントにそれぞれ電気的に接続されており、
前記芯柱に第１導電部材と第２導電部材が間隔をおいて設けられており、
前記第１導電部材及び第２導電部材は、いずれも前記駆動モジュールに電気的に接続されており、
前記第１導電部材と第２導電部材との間に位置する前記芯柱にさらに支持構造が設けられており、
前記支持構造に前記フレキシブルフィラメントが螺旋状に絡みつくための複数のカードスロットが設けられており、
前記フレキシブルフィラメントは、一方の端が前記第１導電部材に電気的に接続され、他方の端が前記第２導電部材に電気的に接続されていることを特徴とするフレキシブルフィラメントライト。
【請求項２】
前記支持構造は、少なくとも前記芯柱の軸線を中心に対称設置された２つの折曲げストライプを含み、
各前記折曲げストライプは、複数の前記カードスロットを有し、その両端がそれぞれ前記芯柱に固定されており、
又は、前記支持構造は、少なくとも前記芯柱の軸線を中心に対称設置された２つの折曲げストライプを含み、
各前記折曲げストライプは、複数の前記カードスロットを有し、その両端がそれぞれ前記第１導電部材及び前記第２導電部材に固定されており、
又は、前記支持構造は、前記芯柱が伸びる方向に沿って等距離で並ぶ複数の支持棒を含み、
各前記支持棒は、一方の端が前記芯柱に設けられ、他方の端が折り曲げて前記カードスロットを形成し、
又は、前記支持構造は、少なくとも２つの折曲げストライプを含み、
各前記折曲げストライプは、複数の前記カードスロットを有し、その両端がそれぞれ前記芯柱に固定され、前記芯柱の軸線を中心に非対称的に設置されている、ことを特徴とする請求項１に記載のフレキシブルフィラメントライト。
【請求項３】
前記支持構造は、前記芯柱に設けられた柱体であり、
前記カードスロットが前記柱体の外側壁に設けられて螺旋状を呈する、ことを特徴とする請求項１に記載のフレキシブルフィラメントライト。
【請求項４】
前記支持構造は、
前記芯柱に設けられた複数の支持板を含み、
前記支持板の辺縁に複数の前記カードスロットが設けられている、ことを特徴とする請求項１に記載のフレキシブルフィラメントライト。
【請求項５】
前記支持構造は、金属、ガラス又はプラスチックの材料で製造されていることを特徴とする請求項２に記載のフレキシブルフィラメントライト。
【請求項６】
前記支持構造は、金属、セラミック、ガラス又はプラスチックの材料で製造されている、ことを特徴とする請求項３又は請求項４に記載のフレキシブルフィラメントライト。
【請求項７】
前記芯柱及び前記支持構造は、いずれもガラス、又はプラスチックの材料で製造され、且つ一体成形されている、ことを特徴とする請求項１に記載のフレキシブルフィラメントライト。
【請求項８】
前記カードスロットの断面は、Ｕ字状又はＣ字状を呈する、ことを特徴とする請求項１に記載のフレキシブルフィラメントライト。
【請求項９】
前記第１導電部材及び前記第２導電部材は、いずれも２つ設置されており、
前記フレキシブルフィラメントは、２つ設置され、直列又は並列で接続されている、ことを特徴とする請求項１に記載のフレキシブルフィラメントライト。
【請求項１０】
前記柱体は、中空柱体である、ことを特徴とする請求項３に記載のフレキシブルフィラメントライト。